(57)【要約】【課題】  上カバー等を大型化させることなく、原稿を適切に読み取ることができる画像読取装置を提供する。【解決手段】  ＣＩＳ１１が、上カバー１９（リブ２１）に向かう方向に移動可能に把持部４１および支持軸３１により支持されており、しかも圧縮バネ１７によりリブ２１に向かって付勢されている。これにより、リブ２１が可動式にされる必要がなく、リブ２１が動くためのスペースが確保される必要も、リブ２１を可動式とするための機構が上カバー１９に設けられる必要もない。従って上カバー１９の大型化が防止される。【選択図】  図５
2005341306.tif 000002
【特許請求の範囲】
【請求項１】
搬送される原稿に形成された画像を読み取る画像読取装置において、
該原稿に形成された画像を読み取る画像読取部と、
前記画像読取部に対向し、搬送中の前記原稿を前記画像読取部とで挟持する原稿押さえ部と、
前記画像読取部を、前記原稿押さえ部へ向かう方向に移動可能に支持する支持機構と、
前記画像読取部を、前記原稿押さえ部に向かって付勢する付勢手段と
を備えたことを特徴とする画像読取装置。
【請求項２】
前記画像読取部に白色を読み取らせるための白部材が前記原稿押さえ部に設けられていることを特徴とする請求項１に記載の画像読取装置。
【請求項３】
前記支持機構が、
前記画像読取部を支持するために装置本体側に設けられ、前記原稿の搬送方向に垂直な支持軸と、
前記画像読取部側に設けられ、該支持軸を把持する把持部と、
を備えたことを特徴とする請求項１または２に記載の画像読取装置。
【請求項４】
前記把持部が、前記画像読取部に直接固定されて該画像読取部を保持するホルダに設けられ、
前記画像読取部に関し前記把持部と反対側において前記ホルダに突設された係合部と、
前記装置本体側に設けられ、前記原稿押さえ部が前記画像読取部から離間した状態において、前記係合部と係合して、前記画像読取部の回動位置を規制する被係合部と
を備えたことを特徴とする請求項３に記載の画像読取装置。
【請求項５】
前記画像読取部が、前記原稿の搬送方向に垂直な方向に配列された撮像素子を有し、
前記把持部が、前記原稿の搬送方向において、前記撮像素子の配列位置よりも上流側に配置される
ことを特徴とする請求項３または４に記載の画像読取装置。
【請求項６】
前記原稿を搬送するために前記装置本体側に固定して設けられた一対の搬送ローラを備え、
前記画像読取部は、前記原稿の搬送方向に垂直な方向に伸びる読取フレームからなり、
前記ホルダは、前記垂直な方向における前記読取フレームの両端部を保持する一対のフレーム受け部から構成されることを特徴とする請求項５に記載の画像読取装置。
【請求項７】
前記フレーム受け部の各々は、前記読取フレームの各端部が載置される底部と、その底部から起立して前記原稿の搬送方向において対向する一対の起立壁とを有し、
前記一対の起立壁の内で、前記原稿の搬送方向において下流側に位置する起立壁は、その上端部が原稿を支持するために原稿に接触可能に形成されていることを特徴とする請求項６に記載の画像読取装置。
【請求項８】
前記一対の搬送ローラは、前記一対の起立壁の内で、下流側に位置する起立壁に隣接しその起立壁よりも下流側に配置されていることを特徴とする請求項７に記載の画像読取装置。
【請求項９】
前記係合部は、前記一対の起立壁の内で、下流側に位置する起立壁に隣接して前記ホルダに形成された弾性アーム部からなり、
その弾性アーム部は、前記被係合部と接触可能な傾斜面と、前記被係合部がその傾斜面を乗り越えたときに前記画像読取部の回動位置を規制するために前記被係合部と係合可能な規制面とを有することを特徴とする請求項７または８に記載の画像読取装置。
【請求項１０】
前記一対の起立壁の内で、前記原稿の搬送方向において上流側に位置する起立壁と、前記読取フレームの各端部とは、その両者の内の一方に形成された突起と、該両者の内の他方に形成され、前記突起に嵌合可能な嵌合穴とにより連結されることを特徴とする請求項７から９の何れかに記載の画像読取装置。
【請求項１１】
前記支持軸が、その軸中心から等距離にある互いに平行な２本の弦によって円を切り取った長円形の軸断面を有し、
前記把持部が、前記２本の弦によって切り取られた前記支持軸の部分に嵌合可能な開口部を有することを特徴とする請求項３から１０の何れかに記載の画像読取装置。
【請求項１２】
前記装置本体の上部を覆う上カバー
を備え、前記原稿押さえ部が前記上カバーに設けられている
ことを特徴とする請求項３から１１の何れかに記載の画像読取装置。
【請求項１３】
前記上カバーが前記装置本体に対して開閉可能に構成されたものであり、
該上カバーの開閉の支点が、前記原稿の搬送方向において、前記画像読取部の配置位置に関して前記支持軸と同じ側にあることを特徴とする請求項１２に記載の画像読取装置。
【請求項１４】
前記原稿押さえ部と前記画像読取部との間に一定量の隙間を形成するクリアランス手段
を備えたことを特徴とする請求項１から１３の何れかに記載の画像読取装置。
【請求項１５】
前記クリアランス手段は、前記原稿押さえ部に一体的に形成され前記画像読取部の読取面に当接可能な一対の突部
であることを特徴とする請求項１４に記載の画像読取装置。
【発明の詳細な説明】
【技術分野】
【０００１】
本発明は、ファクシミリ装置、スキャナ装置、コピー装置等の画像読取装置に関する。
【背景技術】
【０００２】
従来より、こうした画像読取装置としては、例えば、図７に示されたようなものがある。図７は、ファクシミリ装置８０の内部構造を表す中央断面図である。２点鎖線８１は、原稿８２の搬送経路であり、ここを搬送されてきた原稿８２上に形成されている画像をＣＩＳ（Contact Image Sensor：密着型撮像素子）８４が読み取る。ＣＩＳ８４は、下カバー８５に固定されており、このＣＩＳ８４とＣＩＳ８４の上方に配置された原稿押さえ８６とが原稿８２を挟持する。原稿押さえ８６は、図７の略上下方向に移動可能に上カバー８８に支持されており、圧縮バネ９０により下方に付勢されている。尚、特許文献１に記載の技術では、ＣＩＳと対向する位置にある白基準板が上下揺動可能にされている。
【０００３】
このように原稿押さえ８６や白基準板が、ＣＩＳ８４に対して可動式となっており、ＣＩＳ８４に対してこれらが付勢されることにより、原稿がＣＩＳ８４を加圧し、ＣＩＳ８４の被写体深度内に原稿が位置する。
【特許文献１】特開２００３−１２５１４０号公報
【発明の開示】
【発明が解決しようとする課題】
【０００４】
しかしながら、上記従来技術によれば、ＣＩＳ８４と対向する位置にある部材（図７に示された従来技術においては原稿押さえ８６、特許文献１においては白基準板）が可動式となっているため、これらが動くためのスペースが確保され、更にこれらを可動式とするための機構が上カバー８８等に設けられる必要がある。こうした結果、上カバー８８等が大型化するという課題があった。
【０００５】
本発明は、係る課題に鑑みなされたものであり、上カバー８８等を大型化させることなく、原稿を適切に読み取ることができる画像読取装置を提供することを目的とする。
【課題を解決するための手段】
【０００６】
かかる課題を解決するためになされた請求項１に記載の本発明は、搬送される原稿に形成された画像を読み取る画像読取装置において、該原稿に形成された画像を読み取る画像読取部と、前記画像読取部に対向し、搬送中の前記原稿を前記画像読取部とで挟持する原稿押さえ部と、前記画像読取部を、前記原稿押さえ部へ向かう方向に移動可能に支持する支持機構と、前記画像読取部を、前記原稿押さえ部に向かって付勢する付勢手段とを備えたことを特徴とする。
【０００７】
このように構成された画像読取装置においては、画像読取部（例えばＣＩＳ）が、原稿押さえ部に向かう方向に移動可能に支持機構により支持されており、しかも付勢手段により原稿押さえ部に向かって付勢されている。従って、原稿押さえ部が可動式にされる必要がなく、原稿押さえ部が動くためのスペースが確保される必要も、原稿押さえ部が可動式とされるための機構を上カバー等に設ける必要もない。従って上カバー等が大型化するのが防止される。
【０００８】
請求項２に記載の本発明は、請求項１に記載の画像読取装置において、前記画像読取部に白色を読み取らせるための白部材が前記原稿押さえ部に設けられていることを特徴とする。
【０００９】
このように構成された画像読取装置によれば、白色を画像読取部が読み取り認識することができる。尚、白部材としては、前述の白基準板や、白いテープ、上カバー自体を白く塗装したもの等が例示される。
【００１０】
請求項３に記載の本発明は、請求項１または２に記載の画像読取装置において、前記支持機構が、前記画像読取部を支持するために装置本体側に設けられ、前記原稿の搬送方向に垂直な支持軸と、前記画像読取部側に設けられ、該支持軸を把持する把持部とを備えたことを特徴とする。
【００１１】
このように構成された画像読取装置によれば、画像読取部が、支持軸と把持部とにより回動式となっているため、構成がシンプルであり、原稿押さえ部に向かってスムーズに移動することができ、しかも画像読取部の位置が決められやすい。これに反し、画像読取部が、原稿押さえ部に対して平行移動するように構成されると、平行移動するための機構が複雑化し、また、平行を維持するのが困難となり、画像読取部が傾いたり、位置が決定され辛いといった問題が発生する虞がある。尚、支持軸は搬送方向に垂直な１本の軸でもよいし、例えば、画像読取部の両端付近にのみ各１本、計２本あってもよい。把持部は原稿読取部に直接設けられても良いし、何かを介して設けられてもよい。
【００１２】
請求項４に記載の本発明は、請求項３に記載の画像読取装置において、前記把持部が、前記画像読取部に直接固定されて該画像読取部を保持するホルダに設けられ、前記画像読取部に関し前記把持部と反対側において前記ホルダに突設された係合部と、前記装置本体側に設けられ、前記原稿押さえ部が前記画像読取部から離間した状態において、前記係合部と係合して、前記画像読取部の回動位置を規制する被係合部とを備えたことを特徴とする。
【００１３】
このように構成された画像読取装置によれば、画像読取部の装置本体への組み付けが容易となる。すなわち、把持部にて支持軸が把持され、付勢部の付勢力に抗して画像読取部が付勢力と逆方向に回動され、係合部が被係合部に係合されれば組み付けが完了する。
【００１４】
請求項５に記載の本発明は、請求項３または４に記載の画像読取装置において、前記画像読取部が、前記原稿の搬送方向に垂直な方向に配列された撮像素子を有し、前記把持部が、前記原稿の搬送方向において、前記撮像素子の配列位置よりも上流側に配置されることを特徴とする。
【００１５】
このように構成された画像読取装置によれば、画像読取部の撮像素子が、把持部よりも搬送方向下流側に位置するので、原稿と画像読取部との間の摩擦力が画像読取部を原稿押さえ部から遠ざかる方向に回動させるように働き、搬送がスムーズとなる。
【００１６】
請求項６に記載の本発明は、請求項５に記載の画像読取装置において、前記原稿を搬送するために前記装置本体側に固定して設けられた一対の搬送ローラを備え、前記画像読取部は、前記原稿の搬送方向に垂直な方向に伸びる読取フレームからなり、前記ホルダは、前記垂直な方向における前記読取フレームの両端部を保持する一対のフレーム受け部から構成されることを特徴とする。
【００１７】
このように構成された画像読取装置によれば、画像読取部が読取フレームとして構成され、その両端部が一対のフレーム受け部に保持されているので、画像読取部と一対の搬送ローラの平行度を容易に確保することができる。
【００１８】
請求項７に記載の本発明は、請求項６に記載の画像読取装置において、前記フレーム受け部の各々は、前記読取フレームの各端部が載置される底部と、その底部から起立して前記原稿の搬送方向において対向する一対の起立壁とを有し、前記一対の起立壁の内で、前記原稿の搬送方向において下流側に位置する起立壁は、その上端部が原稿を支持するために原稿に接触可能に形成されていることを特徴とする。
【００１９】
このように構成された画像読取装置によれば、搬送される原稿が、フレーム受け部の起立壁の上端部により支持されるので、原稿が不適切な箇所（例えば画像読取部の下部）に誤って搬送されるのを防ぐことができる。なお、原稿を支持する上端部は、原稿の搬送方向において下流側に位置する起立壁の上端部である。把持部は、原稿の搬送方向において、撮像素子の配列位置（つまり読取フレームの位置）よりも上流側に配置されているので、搬送方向において下流側の起立壁の上端部は搬送方向において上流側の起立壁の上端部よりも移動量が大きいことになる。この移動量が大きい側で原稿が支持されることにより、支持機構による画像読取部の移動と一体になって上端部が移動し、原稿を常に安定して支持することができる。
【００２０】
請求項８に記載の本発明は、請求項７に記載の画像読取装置において、前記一対の搬送ローラは、前記一対の起立壁の内で、下流側に位置する起立壁に隣接しその起立壁よりも下流側に配置されていることを特徴とする。
【００２１】
このように構成された画像読取装置によれば、読取フレームの撮像素子により読み取られた原稿は、搬送方向において下流側の起立壁の上端部にまず支持され、次に一対の搬送ローラにて搬送されることになる。従って原稿は、安定して画像の読み取り、支持、搬送を受けることができる。
【００２２】
請求項９に記載の本発明は、請求項７または８に記載の画像読取装置において、前記係合部は、前記一対の起立壁の内で、下流側に位置する起立壁に隣接して前記ホルダに形成された弾性アーム部からなり、その弾性アーム部は、前記被係合部と接触可能な傾斜面と、前記被係合部がその傾斜面を乗り越えたときに前記画像読取部の回動位置を規制するために前記被係合部と係合可能な規制面とを有することを特徴とする。
【００２３】
このように構成された画像読取装置によれば、画像読取部の装置本体への組み付けが容易となる。すなわち、付勢部の付勢力に抗して画像読取部が付勢力と逆方向に回動されると、まず被係合部に傾斜面が接触し、被係合部がその傾斜面を乗り越えたときに規制面が被係合部と係合し、画像読取部の回動位置を規制する。このように容易に画像読取部の装置本体への組み付けが完了する。
【００２４】
請求項１０に記載の本発明は、請求項７から９の何れかに記載の画像読取装置において、前記一対の起立壁の内で、前記原稿の搬送方向において上流側に位置する起立壁と、前記読取フレームの各端部とは、その両者の内の一方に形成された突起と、該両者の内の他方に形成され、前記突起に嵌合可能な嵌合穴とにより連結されることを特徴とする。
【００２５】
このように構成された画像読取装置によれば、読取フレームとフレーム受け部とが、起立壁に形成された突起（または嵌合穴）とフレーム受け部に形成された嵌合穴（または突起）とにより連結されるので、容易に読取フレームとフレーム受け部との連結を行うことができる。突起（または嵌合穴）が形成される起立壁は、原稿の搬送方向において上流側の起立壁であり、上端部にて原稿を支持する、原稿の下流側の起立壁ではないので、フレーム受け部の構造をシンプルにすることができる。特に請求項９に対して適用された場合には、原稿の下流側の起立壁に隣接して弾性アーム部が形成されているので、フレーム受け部の構造が複雑化を防止するのに効果的である。
【００２６】
請求項１１に記載の本発明は、請求項３から１０の何れかに記載の画像読取装置において、前記支持軸が、その軸中心から等距離にある互いに平行な２本の弦によって円を切り取った長円形の軸断面を有し、前記把持部が、前記２本の弦によって切り取られた前記支持軸の部分に嵌合可能な開口部を有することを特徴とする。
【００２７】
このように構成された画像読取装置によれば、把持部に支持軸を把持させるのも容易となる。すなわち、把持部の開口部にて支持軸の、２本の弦によって切り取られた部分が勘合されれば把持が完了する。
【００２８】
請求項１２に記載の本発明は、請求項３から１１の何れかに記載の画像読取装置において、前記装置本体の上部を覆う上カバーを備え、前記原稿押さえ部が前記上カバーに設けられていることを特徴とする。
【００２９】
このように構成された画像読取装置によれば、原稿押さえ部が上カバーに対して可動式にされる必要がないので、上カバーが大型化するのが防止される。
請求項１３に記載の本発明は、請求項１２に記載の画像読取装置において、前記上カバーが前記装置本体に対して開閉可能に構成されたものであり、該上カバーの開閉の支点が、前記原稿の搬送方向において、前記画像読取部の配置位置に関して前記支持軸と同じ側にあることを特徴とする。
【００３０】
このように構成された画像読取装置によれば、上カバーの開閉の支点が、画像読取部よりも搬送方向上流側に位置するため、原稿と原稿押さえ部（ひいては上カバー）との間の摩擦力が上カバー（原稿押さえ部）を画像読取部から遠ざかる方向に回動させるように働くので、搬送がスムーズとなる。
【００３１】
請求項１４に記載の本発明は、請求項１から１３の何れかに記載の画像読取装置において、前記原稿押さえ部と前記画像読取部との間に一定量の隙間を形成するクリアランス手段を備えたことを特徴とする。
【００３２】
このように構成された画像読取装置によれば、原稿押さえ部と画像読取部との間に隙間がない場合に比べ、腰のない紙が容易に搬送される。なお、クリアランス手段が、原稿から原稿読取部までの距離を被写体深度内まで納める。
【００３３】
請求項１５に記載の本発明は、請求項１４に記載の画像読取装置において、前記クリアランス手段は、前記原稿押さえ部に一体的に形成され前記画像読取部の読取面に当接可能な一対の突部であることを特徴とする。
【００３４】
このように構成された画像読取装置によれば、腰のない紙のスムーズな搬送を可能にするクリアランス手段が、突部という簡素な構成により実現される。
【発明の効果】
【００３５】
上述のように本発明の画像読取装置によれば、原稿押さえ部を可動式にする必要がなく、原稿押さえ部が動くためのスペースを確保する必要も、原稿押さえ部を可動式とするための機構を上カバー等に設ける必要もない。従って上カバー等が大型化するのが防止される。
【００３６】
また、白色を画像読取部が読み取り認識することができる。
そして、画像読取部が、支持軸と把持部とにより回動式となっているため、構成がシンプルであり、画像読取部が、原稿押さえ部に向かってスムーズに移動することができ、しかも画像読取部の位置が決められやすい。
【００３７】
また、画像読取部の撮像素子が、把持部よりも搬送方向下流側に位置するため、原稿と画像読取部との間の摩擦力が、画像読取部を原稿押さえ部から遠ざかる方向に回動させるように働くので、搬送がスムーズとなる。
【００３８】
また、画像読取部の装置本体への組み付けが容易となる。
そして、画像読取部が読取フレームとして構成され、その両端部が一対のフレーム受け部に保持されているので、画像読取部と一対の搬送ローラの平行度を容易に確保することができる。
【００３９】
また、搬送される原稿が、フレーム受け部の起立壁の上端部により支持されるので、原稿が不適切な箇所に誤って搬送されるのを防ぐことができる。また、原稿を常に安定して支持することができる。
【００４０】
また、読取フレームの撮像素子により読み取られた原稿は、搬送方向において下流側の起立壁の上端部にまず支持され、次に一対の搬送ローラにて搬送されることになるので、原稿は、安定して、画像の読み取り、支持、搬送を受けることができる。
【００４１】
そして、付勢部の付勢力に抗して画像読取部が付勢力と逆方向に回動されると、まず被係合部に傾斜面が接触し、被係合部がその傾斜面を乗り越えたときに規制面が被係合部と係合し、画像読取部の回動位置を規制するので、容易に画像読取部の装置本体への組み付けが完了する。
【００４２】
また、読取フレームとフレーム受け部とが、起立壁に形成された突起（または嵌合穴）とフレーム受け部に形成された嵌合穴（または突起）とにより連結されるので、容易に読取フレームとフレーム受け部との連結を行うことができる。突起（または嵌合穴）が形成される起立壁は、原稿の搬送方向において上流側の起立壁であり、上端部にて原稿を支持する、原稿の下流側の起立壁ではないので、フレーム受け部の構造をシンプルにすることができる。
【００４３】
そして、把持部に支持軸を把持させるのも容易となる。すなわち、把持部の開口部にて支持軸の、２本の弦によって切り取られた部分が勘合されれば把持が完了する。
また、原稿押さえ部を上カバーに対して可動式とする必要がないので、上カバーが大型化するのが防止される。
【００４４】
また、上カバーの開閉の支点が、画像読取部よりも搬送方向上流側に位置するため、原稿と原稿押さえ部（ひいては上カバー）との間の摩擦力が、上カバー（原稿押さえ部）を画像読取部から遠ざかる方向に回動させるように働くので、搬送がスムーズとなる。
【００４５】
そして、原稿押さえ部と画像読取部との間に隙間がない場合に比べ、腰のない紙が容易に搬送される。なお、クリアランス手段により、原稿から原稿読取部までの距離が被写体深度内まで納まる。
【００４６】
また、腰のない紙のスムーズな搬送を可能にするクリアランス手段が、突部という簡素な構成により実現される。
【発明を実施するための最良の形態】
【００４７】
以下、本発明の実施の形態を示す実施例が図１〜図５に基づいて説明される。まず、図１は、本発明が適用された画像読取装置としてのファクシミリ装置１の内部構造を表す中央断面図である。ファクシミリ装置１においてＣＩＳ１１は、ＣＩＳ１１をその左右（図１においては図に垂直な方向）両端にて支持するホルダ１３を介して、点Ｐを支点として回動可能に下カバー１５に支持されている。ホルダ１３は、圧縮バネ１７により上方へ付勢されており、これによりＣＩＳ１１の上面が上カバー１９へと押しつけられる。上カバー１９は操作パネル２０と共に、点Ｒを支点として回動可能に構成されている。
【００４８】
図２は図１のＡ−Ａ矢視図である。ただし図２では、ホルダ１３や各部の詳細が省略されており、且つ上下方向が誇張されている。また、一部が破断されて示されている。上カバー１９の下面１９ａにはリブ２１が形成されており、その左右方向両端に設けられた突部２３がＣＩＳ１１の上面１１ａに当接するように構成されている。これにより、原稿の搬送経路２５が確保され、腰のない紙でも一対の搬送ローラ２７、２８（図１参照）により上カバー１９・ＣＩＳ１１間をスムーズに搬送されていく。なお、搬送経路２５の高さは、突部２３の位置で０．４５ｍｍ、ＣＩＳ１１の中央で０．６５ｍｍとなっている。
【００４９】
図３は下カバー１５の平面図である。ホルダ１３の揺動支点Ｐを成す支持軸３１は、下カバー１５の前部（図３では下部）の左右に各１、計２個、互いに同軸に配置されている。なお、符号３３は圧縮バネ１７をはめ込むためのバネ台であり、図示しないホルダ１３に対応して左右に各１、計２個配置されている。
【００５０】
図４はホルダ１３の斜視図である。ホルダ１３は、２個の支持軸３１（図５（ｂ）参照）に対応して２個、ＣＩＳ１１の左右（図２の左右方向）両端に設けられる。図４に示されているのは、右側のホルダ１３である。左側のホルダ１３は、図４に示したホルダ１３と略面対称の形状をしている。ホルダ１３は合成樹脂を材料として形成されており、ＣＩＳ１１が載置される底部５３と、その底部５３から起立して対向する一対の起立壁５５、５７とで形成されている。この対向方向は、原稿の搬送方向と一致している。原稿の搬送方向において下流側に位置する起立壁５５の上端部５９は、原稿を支持するために原稿に接触可能に形成されている。起立壁５５には係合部４３が隣接して形成されている。
【００５１】
係合部４３は被係合部４５（図１参照）と接触可能な傾斜面６３と、被係合部４５が傾斜面６３を乗り越えたときにＣＩＳ１１の回動位置を規制するために被係合部４５と係合可能な規制面６５とを有している。係合部４３は、一体に形成されたバネ部４４によりホルダ１３の内部方向への移動および元位置への復元が可能に構成されている。つまり係合部４３は弾性アーム部として構成されている。
【００５２】
原稿の搬送方向において上流側に位置する起立壁５７には把持部４１が形成されている。把持部４１が支持軸３１を把持し、ホルダ１３全体がＣＩＳ１１と共に支持軸３１（点Ｐ：図１参照）を軸として回動する。この際に、係合部４３が下カバー１５に形成された鉤状の被係合部４５と係合することにより、ホルダ１３の回動角度が規制される。起立壁５７の内側に形成されているボス６７，６９は、ＣＩＳ１１側に形成された穴（後述）に嵌合するためのもので、遊挿穴７１は、ホルダ１３をＣＩＳ１１にネジ止めするためのものである。
【００５３】
図５（ａ）は左側のホルダ１３を、ＣＩＳ１１、上カバー１９と共に示した左方側面図であり、図５（ｂ）は下カバー１５の左右方向中央断面図である。把持部４１は、図５（ａ）に示すように略Ｃ型の断面をしており、その開口部４７の幅ｃは２．６ｍｍとなっている。また把持部４１の内径は４．０５ｍｍとなっている。一方、支持軸３１は、図５（ｂ）に示すように、その軸中心から等距離にある互いに平行な２本の弦によって円を切り取った長円形の軸断面を有している。これらの弦間の距離ｄ（以下、支持軸３１の幅という）は２．５ｍｍ、円の外径は３．９５ｍｍとなっている。つまり開口部４７の幅ｃは支持軸３１の幅ｄよりもやや大きく、把持部４１の内径は支持軸３１の外径よりもやや大きくされている。ホルダ１３を支持軸３１に軸支させるには、まずホルダ１３の開口部４７の幅方向と支持軸３１の幅方向とが一致され、開口部４７から支持軸３１を把持部４１内に入れられる。そして係合部４３が被係合部４５（図１参照）に係合するまで図５において時計回りにホルダ１３が回転されると、ホルダ１３の反時計方向への回動が規制される。このようにホルダ１３（ひいてはＣＩＳ１１）は、下カバー１５に対して容易に組み付けられる。
【００５４】
上カバー１９を閉じた図５（ａ）の状態では、ＣＩＳ１１が突部２３に押されることにより、更に時計回りにホルダ１３が回動し、係合部４３と被係合部４５とが互いに離反した状態となる。なお、上カバー１９のＣＩＳ１１と対向する部分にはホワイトテープ５１が貼付されている。より詳しくは、ＣＩＳ１１の上面１１ａと正対する面ではなく、そこから搬送方向上流にずれた符号ｆで示す斜面にてホワイトテープ５１が貼付されており、画像読取位置Ｑにおいてはホワイトテープ５１が自由に動ける状態となっている。上カバー１９・ＣＩＳ１１間に原稿がない状態で上カバー１９を閉じると、ホワイトテープ５１の自由端付近が画像読取位置Ｑに接触する。従って、白色を画像読取部が読み取り認識することができる。原稿は、ホワイトテープ５１を上へ押しやりつつ搬送されることになる。
【００５５】
また、ＣＩＳ１１の読取位置Ｑには、撮像素子が図５（ａ）に垂直な方向に並列されている。この撮像素子が、把持部４１（ＣＩＳ１１の回動軸Ｐ）よりも搬送方向下流側に位置するので、原稿とＣＩＳ１１との間の摩擦力がＣＩＳ１１を突部２３（リブ２１）から遠ざかる方向に回動させるように働く。従って、原稿の搬送がスムーズとなる。また、ＣＩＳ１１の回動軸Ｐから読取位置Ｑまでの距離ｅが、遠くなるようにＣＩＳ１１がホルダ１３に取り付けられている（例えば、ＣＩＳ１１の左右（図５に垂直な方向）を逆にして距離ｅを小さくしない）ので、ホルダ１３が回動しても読取位置Ｑにて撮像素子の姿勢が大きく傾くことがなく、原稿の厚さに関わらず安定して画像が読み取られる。
【００５６】
図６（ａ）はＣＩＳ１１の斜視図である。図６（ｂ）はＣＩＳ１１にホルダ１３を取り付けた様子を示す斜視図であり、図６（ｃ）はＣＩＳ１１にホルダ１３が取り付けられた様子を図６（ｂ）とは異なる方向から見た斜視図である。ＣＩＳ１１の１側面には、その両端付近にボス６７、６９がそれぞれ挿入される嵌合穴７３，７５と、ネジ穴７７とが形成されている。これらにより、ホルダ１３が図６（ｂ）、図６（ｃ）に示すように取り付けられる。
【００５７】
以上、説明したファクシミリ装置１によれば、ＣＩＳ１１が、上カバー１９（リブ２１）に向かう方向に移動可能に把持部４１および支持軸３１により支持されており、しかも圧縮バネ１７によりリブ２１に向かって付勢されている。これにより、リブ２１が可動式にされる必要がなく、リブ２１が動くためのスペースが確保される必要も、リブ２１を可動式とするための機構が上カバー１９に設けられる必要もない。従って上カバー１９が大型化するのが防止される。
【００５８】
しかも、ＣＩＳ１１が、支持軸３１と把持部４１とにより回動式となっているため、構成がシンプルであり、リブ２１に向かってスムーズに移動され、しかもＣＩＳ１１の位置が決められやすい。
【００５９】
また、上カバー１９の開閉の支点Ｒが、ＣＩＳ１１よりも搬送方向上流側に位置するので、原稿とリブ２１との間の摩擦力が上カバー１９（リブ２１）をＣＩＳ１１から遠ざかる方向に回動させるように働き、搬送がスムーズとなる。
【００６０】
そして、ＣＩＳ１１の両端部が一対のホルダ１３に保持されているので、ＣＩＳ１１と一対の搬送ローラ２７、２８の平行度を容易に確保することができる。搬送ローラ２７、２８は、原稿の搬送方向において、ＣＩＳ１１の下流側にあり、しかもＣＩＳ１１にて読み取られた原稿は、該搬送方向においてＣＩＳ１１の下流側の起立壁５５の上端部５９にて支持されるので、原稿が不適切な箇所に誤って搬送されるのを防ぐことができる。また、原稿は、安定して、画像の読み取り、支持、搬送を受けることができる。
【００６１】
ＣＩＳ１１の下カバー１５への組み付け作業は容易に行われる。すなわち、圧縮バネ１７の付勢力に抗してＣＩＳ１１が付勢力と逆方向に回動されると、まず被係合部４５に傾斜面６３が接触し、被係合部４５がその傾斜面６３を乗り越えたときに規制面６５が被係合部４５と係合し、ＣＩＳ１１の回動位置を規制する。従って、容易にＣＩＳ１１の下カバー１５への組み付けが完了する。
【００６２】
ここで本実施例と本発明の構成要件との対応関係を示す。ＣＩＳ１１が本発明の画像読取部および読取フレームを兼ねたものに相当し、ホルダ１３がフレーム受け部に相当し、圧縮バネ１７が本発明の付勢手段に相当し、ホワイトテープ５１が本発明の白部材に相当し、リブ２１が本発明のクリアランス手段に相当し、上カバー１９が本発明の原稿押さえ部に相当し、ボス６７，６９が本発明の突起に相当する。
【００６３】
以上、本発明の実施の形態が説明されたが、本発明はこれに限定されるものではなく、様々な態様にて実施されることができる。例えば、本発明の画像読取装置はファクシミリ装置１として構成されたが、コピー機やスキャナとして実現されても構わない。
【００６４】
画像読取部として、ＣＩＳ１１以外のデバイスが用いられてもよい。白部材として、ファクシミリ装置１ではホワイトテープ５１が用いられたが、これ以外にも白い板状のものが用いられたり、上カバー１９自体を白く塗装したもので代用されたりしてもよい。
【図面の簡単な説明】
【００６５】
【図１】本発明が適用されたファクシミリ装置の内部構造を表す中央断面図である。
【図２】図１のＡ−Ａ矢視図である。
【図３】下カバーの平面図である。
【図４】右側のホルダの斜視図である。
【図５】ＣＩＳを揺動可能に支持する機構を示す説明図である。
【図６】ＣＩＳおよびＣＩＳにホルダを取り付けた様子を示す斜視図である。
【図７】従来のファクシミリ装置の内部構造を表す中央断面図である。
【符号の説明】
【００６６】
１…ファクシミリ装置  １１…ＣＩＳ
１３…ホルダ            １５…下カバー
１９…上カバー          ２３…突部
３１…支持軸            ４１…把持部
４３…係合部            ４４…バネ部
４５…被係合部          ４７…開口部
５１…ホワイトテープ    ５３…底部
５５…起立壁(下流側)    ５７…起立壁(上流側)
５９…上端部            ６３…傾斜面
６５…規制面            ６７、６９…ボス
７３、７５…嵌合穴      Ｑ…画像読取位置
【図１】
2005341306.tif 000003
【図２】
2005341306.tif 000004
【図３】
2005341306.tif 000005
【図４】
2005341306.tif 000006
【図５】
2005341306.tif 000007
【図６】
2005341306.tif 000008
【図７】
2005341306.tif 000009